(57)【要約】【課題】送信者による送信結果の確認が望まれる場合に送信結果を出力して、記録用紙の無駄な消費を抑制することができるファクシミリ装置を提供すること。【解決手段】図４のフローチャートに示すＦＡＸ送信処理によって、原稿の画像が縮小されて被呼側装置２００へ送信された場合にのみ、その送信結果を示す送信確認レポート３０（図５参照）をプリンタ２１により記録用紙に記録することができる。従って、原稿の画像が被呼側装置２００へ送信された場合に、毎回、送信確認レポート３０が記録用紙に記録される場合と比較して、送信者による送信結果の確認が望まれる場合のみ記録用紙に記録することができるので、記録用紙や記録に使用するインクの無駄な消費を抑制することができる。【選択図】図４
2009153075.tif 000002
【特許請求の範囲】
【請求項１】
原稿の寸法を検出する原稿サイズ検出手段と、前記原稿の画像を読み取り、前記原稿サイズ検出手段によって検出された原稿の寸法に応じた画像情報を生成する画像情報生成手段と、その画像情報生成手段によって生成される画像情報を相手側装置へ送信する送信手段とを備えたファクシミリ装置において、
前記相手側装置で受信可能な画像情報の画像寸法を取得するサイズ取得手段と、
そのサイズ取得手段によって取得した前記相手側装置で受信可能な画像情報の画像寸法と、前記画像情報生成手段によって生成される画像情報の画像寸法とを比較する第１の画像寸法比較手段と、
その第１の画像寸法比較手段による比較の結果、前記サイズ取得手段によって取得した画像寸法が、前記画像情報生成手段によって生成される画像情報の画像寸法よりも小さい場合に、前記画像情報生成手段によって生成される画像情報に基づく画像を前記サイズ取得手段によって取得した画像寸法の画像へと縮小した縮小画像情報を生成する縮小画像情報生成手段と、
その縮小画像情報生成手段によって生成された縮小画像情報を前記送信手段によって前記相手側装置へ送信する縮小画像送信手段と、
その縮小画像送信手段によって前記相手側装置へ縮小画像情報が送信されると、その縮小画像情報の前記相手側装置への送信結果を示す第１送信結果情報を出力する第１の送信結果出力手段とを備えていることを特徴とするファクシミリ装置。
【請求項２】
前記第１の送信結果出力手段は、前記縮小画像情報生成手段によって生成された縮小画像情報の画像寸法を示す寸法情報、または、前記画像情報生成手段によって生成された画像情報の画像寸法と前記縮小画像情報生成手段によって生成された縮小画像情報の画像寸法との比率を示す比率情報の少なくとも一方を前記第１送信結果情報として出力することを特徴とする請求項１記載のファクシミリ装置。
【請求項３】
前記縮小画像情報生成手段によって生成された縮小画像情報を記憶する第１の記憶手段を備え、
前記第１の送信結果出力手段は、前記第１の記憶手段に記憶されている前記縮小画像情報生成手段によって生成された縮小画像情報に基づく画像の少なくとも一部を前記第１送信結果情報として出力することを特徴とする請求項１または２記載のファクシミリ装置。
【請求項４】
前記画像情報生成手段によって生成された画像情報を記憶する第２の記憶手段と、
前記第１の送信結果出力手段より出力される前記第１送信結果情報により示される送信結果を記録媒体に記録する記録手段とを備え、
前記第１の送信結果出力手段は、前記第１の記憶手段に記憶されている前記縮小画像情報生成手段によって生成された縮小画像情報に基づく画像の少なくとも一部と、前記第２の記憶手段に記憶されている前記画像情報生成手段によって生成された画像情報に基づく画像の少なくとも一部とを前記第１送信結果情報として出力し、
前記記録手段は、前記第１の送信結果出力手段により出力される前記第１送信結果情報に基づいて、前記縮小画像情報生成手段によって生成された縮小画像情報に基づく画像の少なくとも一部と、前記画像情報生成手段によって生成された画像情報に基づく画像の少なくとも一部とを一枚の記録媒体に記録することを特徴とする請求項３記載のファクシミリ装置。
【請求項５】
原稿の寸法を検出する原稿サイズ検出手段と、前記原稿の画像を読み取り、前記原稿サイズ検出手段によって検出された原稿の寸法に応じた画像情報を生成する画像情報生成手段と、その画像情報生成手段によって生成される画像情報を相手側装置へ送信する送信手段とを備えたファクシミリ装置において、
前記相手側装置で受信可能な画像情報の画像寸法を取得するサイズ取得手段と、
そのサイズ取得手段によって取得した前記相手側装置で受信可能な画像情報の画像寸法と、前記画像情報生成手段によって生成される画像情報の画像寸法とを比較する第１の画像寸法比較手段と、
その第１の画像寸法比較手段による比較結果に基づいて、前記画像情報生成手段によって生成される画像情報から前記サイズ取得手段によって取得した画像寸法に適した送信画像情報を生成する送信画像情報生成手段と、
その送信画像情報生成手段によって生成される送信画像情報を前記送信手段によって前記相手側装置へ送信する画像送信手段と、
前記相手側装置を識別する識別情報と、前記相手側装置で受信可能な画像情報の画像寸法とを関連づけて記憶する第３の記憶手段と、
前記画像送信手段によって送信画像情報を送信する相手側装置の識別情報を取得する識別情報取得手段と、
その識別情報取得手段によって取得された相手側装置の識別情報に関連づけられて前記第３の記憶手段に記憶されている前記相手側装置の画像寸法と、前記サイズ取得手段によって取得された画像寸法とを比較する第２の画像寸法比較手段と、
その第２の画像寸法比較手段による比較の結果、前記サイズ取得手段によって取得された画像寸法と、前記第３の記憶手段に記憶されている前記相手側装置の画像寸法とが異なる場合に、前記画像送信手段によって前記相手側装置へ送信画像情報が送信されると、その送信画像情報の前記相手側装置への送信結果を示す第２送信結果情報を出力する第２の送信結果出力手段とを備えている特徴とするファクシミリ装置。
【請求項６】
前記第２の送信結果出力手段は、前記第２の画像寸法比較手段による比較の結果、前記サイズ取得手段によって取得された画像寸法が、前記第３の記憶手段に記憶されている前記相手側装置の画像寸法よりも小さい場合に、前記第２送信結果情報を出力することを特徴とする請求項５に記載のファクシミリ装置。
【請求項７】
前記第２の送信結果出力手段は、前記送信画像情報生成手段によって生成された送信画像情報の画像寸法を示す寸法情報、または、前記画像情報生成手段によって生成された画像情報の画像寸法と前記送信画像情報生成手段によって生成された送信画像情報の画像寸法との比率を示す比率情報の少なくとも一方を前記第２送信結果情報として出力することを特徴とする請求項５または６記載のファクシミリ装置。
【請求項８】
前記送信画像情報生成手段によって生成された送信画像情報を記憶する第４の記憶手段を備え、
前記第２の送信結果出力手段は、前記第４の記憶手段に記憶されている前記送信画像情報生成手段によって生成された送信画像情報に基づく画像の少なくとも一部を前記第２送信結果情報として出力することを特徴とする請求項５から７のいずれかに記載のファクシミリ装置。
【請求項９】
前記画像情報生成手段によって生成された画像情報を記憶する第５の記憶手段と、
前記第２の送信結果出力手段より出力される前記第２送信結果情報により示される送信結果を記録媒体に記録する記録手段とを備え、
前記第２の送信結果出力手段は、前記第４の記憶手段に記憶されている前記送信画像情報生成手段によって生成された送信画像情報に基づく画像の少なくとも一部と、前記第５の記憶手段に記憶されている前記画像情報生成手段によって生成された画像情報に基づく画像の少なくとも一部とを前記第２送信結果情報として出力し、
前記記録手段は、前記第２の送信結果出力手段により出力される前記第２送信結果情報に基づいて、前記送信画像情報生成手段によって生成された送信画像情報に基づく画像の少なくとも一部と、前記画像情報生成手段によって生成された画像情報に基づく画像の少なくとも一部とを一枚の記録媒体に記録することを特徴とする請求項８記載のファクシミリ装置。
【発明の詳細な説明】
【技術分野】
【０００１】
本発明は、ファクシミリ装置に関するものである。
【背景技術】
【０００２】
従来より、原稿の画像を読み取り、その読み取った画像を相手側装置へ送信する場合に、相手側装置で受信可能な画像サイズを取得し、その取得した画像サイズへと読み取った画像を縮小して送信するファクシミリ装置が知られている。
【０００３】
この種のファクシミリ装置に関し、特許文献１のファクシミリ装置は、相手側装置で受信可能な画像サイズが読み取った画像の画像サイズと同じか又は大きい場合には読み取った画像をそのまま相手側装置に送信し、相手側装置で受信可能な画像サイズが読み取った画像の画像サイズよりも小さい場合には読み取った画像を縮小して相手側装置に送信する。また、特許文献１のファクシミリ装置は、原稿の画像を相手側装置へ送信開始すると、相手側装置で受信可能な画像サイズ（例えば、「Ａ３」など）を含む送信管理レポートを毎回プリントアウトする。
【特許文献１】特開平９−３７００９号公報（００３９段落など）
【発明の開示】
【発明が解決しようとする課題】
【０００４】
しかしながら、上述した特許文献１のファクシミリ装置では、原稿の画像が相手側装置へ送信開始されると、読み取った画像がそのまま送信される場合であっても、縮小して送信される場合であっても、毎回、送信管理レポートがプリントアウトされるので、記録用紙が無駄に多く消費されるという問題点があった。
【０００５】
本発明は、上述した問題を解決するためになされたものであり、送信者による送信結果の確認が望まれる場合に送信結果を出力して、記録用紙を無駄に多く消費することを抑制できるファクシミリ装置を提供することを目的とする。
【課題を解決するための手段】
【０００６】
この目的を達成するために、請求項１記載のファクシミリ装置は、原稿の寸法を検出する原稿サイズ検出手段と、前記原稿の画像を読み取り、前記原稿サイズ検出手段によって検出された原稿の寸法に応じた画像情報を生成する画像情報生成手段と、その画像情報生成手段によって生成される画像情報を相手側装置へ送信する送信手段とを備えたものであり、前記相手側装置で受信可能な画像情報の画像寸法を取得するサイズ取得手段と、そのサイズ取得手段によって取得した前記相手側装置で受信可能な画像情報の画像寸法と、前記画像情報生成手段によって生成される画像情報の画像寸法とを比較する第１の画像寸法比較手段と、その第１の画像寸法比較手段による比較の結果、前記サイズ取得手段によって取得した画像寸法が、前記画像情報生成手段によって生成される画像情報の画像寸法よりも小さい場合に、前記画像情報生成手段によって生成される画像情報に基づく画像を前記サイズ取得手段によって取得した画像寸法の画像へと縮小した縮小画像情報を生成する縮小画像情報生成手段と、その縮小画像情報生成手段によって生成された縮小画像情報を前記送信手段によって前記相手側装置へ送信する縮小画像送信手段と、その縮小画像送信手段によって前記相手側装置へ縮小画像情報が送信されると、その縮小画像情報の前記相手側装置への送信結果を示す第１送信結果情報を出力する第１の送信結果出力手段とを備えている。
【０００７】
請求項２記載のファクシミリ装置は、請求項１記載のファクシミリ装置において、前記第１の送信結果出力手段は、前記縮小画像情報生成手段によって生成された縮小画像情報の画像寸法を示す寸法情報、または、前記画像情報生成手段によって生成された画像情報の画像寸法と前記縮小画像情報生成手段によって生成された縮小画像情報の画像寸法との比率を示す比率情報の少なくとも一方を前記第１送信結果情報として出力する。
【０００８】
請求項３の記載のファクシミリ装置は、請求項１または２記載のファクシミリ装置において、前記縮小画像情報生成手段によって生成された縮小画像情報を記憶する第１の記憶手段を備え、前記第１の送信結果出力手段は、前記第１の記憶手段に記憶されている前記縮小画像情報生成手段によって生成された縮小画像情報に基づく画像の少なくとも一部を前記第１送信結果情報として出力する。
【０００９】
請求項４記載のファクシミリ装置は、請求項３記載のファクシミリ装置において、前記画像情報生成手段によって生成された画像情報を記憶する第２の記憶手段と、前記第１の送信結果出力手段より出力される前記第１送信結果情報により示される送信結果を記録媒体に記録する記録手段とを備え、前記第１の送信結果出力手段は、前記第１の記憶手段に記憶されている前記縮小画像情報生成手段によって生成された縮小画像情報に基づく画像の少なくとも一部と、前記第２の記憶手段に記憶されている前記画像情報生成手段によって生成された画像情報に基づく画像の少なくとも一部とを前記第１送信結果情報として出力し、前記記録手段は、前記第１の送信結果出力手段により出力される前記第１送信結果情報に基づいて、前記縮小画像情報生成手段によって生成された縮小画像情報に基づく画像の少なくとも一部と、前記画像情報生成手段によって生成された画像情報に基づく画像の少なくとも一部とを一枚の記録媒体に記録する。
【００１０】
請求項５記載のファクシミリ装置は、原稿の寸法を検出する原稿サイズ検出手段と、前記原稿の画像を読み取り、前記原稿サイズ検出手段によって検出された原稿の寸法に応じた画像情報を生成する画像情報生成手段と、その画像情報生成手段によって生成される画像情報を相手側装置へ送信する送信手段とを備えたものであり、前記相手側装置で受信可能な画像情報の画像寸法を取得するサイズ取得手段と、そのサイズ取得手段によって取得した前記相手側装置で受信可能な画像情報の画像寸法と、前記画像情報生成手段によって生成される画像情報の画像寸法とを比較する第１の画像寸法比較手段と、その第１の画像寸法比較手段による比較結果に基づいて、前記画像情報生成手段によって生成される画像情報から前記サイズ取得手段によって取得した画像寸法に適した送信画像情報を生成する送信画像情報生成手段と、その送信画像情報生成手段によって生成される送信画像情報を前記送信手段によって前記相手側装置へ送信する画像送信手段と、前記相手側装置を識別する識別情報と、前記相手側装置で受信可能な画像情報の画像寸法とを関連づけて記憶する第３の記憶手段と、前記画像送信手段によって送信画像情報を送信する相手側装置の識別情報を取得する識別情報取得手段と、その識別情報取得手段によって取得された相手側装置の識別情報に関連づけられて前記第３の記憶手段に記憶されている前記相手側装置の画像寸法と、前記サイズ取得手段によって取得された画像寸法とを比較する第２の画像寸法比較手段と、その第２の画像寸法比較手段による比較の結果、前記サイズ取得手段によって取得された画像寸法と、前記第３の記憶手段に記憶されている前記相手側装置の画像寸法とが異なる場合に、前記画像送信手段によって前記相手側装置へ送信画像情報が送信されると、その送信画像情報の前記相手側装置への送信結果を示す第２送信結果情報を出力する第２の送信結果出力手段とを備えている。
【００１１】
請求項６記載のファクシミリ装置は、請求項５に記載のファクシミリ装置において、前記第２の送信結果出力手段は、前記第２の画像寸法比較手段による比較の結果、前記サイズ取得手段によって取得された画像寸法が、前記第３の記憶手段に記憶されている前記相手側装置の画像寸法よりも小さい場合に、前記第２送信結果情報を出力する。
【００１２】
請求項７記載のファクシミリ装置は、請求項５または６記載のファクシミリ装置において、前記第２の送信結果出力手段は、前記送信画像情報生成手段によって生成された送信画像情報の画像寸法を示す寸法情報、または、前記画像情報生成手段によって生成された画像情報の画像寸法と前記送信画像情報生成手段によって生成された送信画像情報の画像寸法との比率を示す比率情報の少なくとも一方を前記第２送信結果情報として出力する。
【００１３】
請求項８記載のファクシミリ装置は、請求項５から７のいずれかに記載のファクシミリ装置において、前記送信画像情報生成手段によって生成された送信画像情報を記憶する第４の記憶手段を備え、前記第２の送信結果出力手段は、前記第４の記憶手段に記憶されている前記送信画像情報生成手段によって生成された送信画像情報に基づく画像の少なくとも一部を前記第２送信結果情報として出力する。
【００１４】
請求項９記載のファクシミリ装置は、請求項８記載のファクシミリ装置において、前記画像情報生成手段によって生成された画像情報を記憶する第５の記憶手段と、前記第２の送信結果出力手段より出力される前記第２送信結果情報により示される送信結果を記録媒体に記録する記録手段とを備え、前記第２の送信結果出力手段は、前記第４の記憶手段に記憶されている前記送信画像情報生成手段によって生成された送信画像情報に基づく画像の少なくとも一部と、前記第５の記憶手段に記憶されている前記画像情報生成手段によって生成された画像情報に基づく画像の少なくとも一部とを前記第２送信結果情報として出力し、前記記録手段は、前記第２の送信結果出力手段により出力される前記第２送信結果情報に基づいて、前記送信画像情報生成手段によって生成された送信画像情報に基づく画像の少なくとも一部と、前記画像情報生成手段によって生成された画像情報に基づく画像の少なくとも一部とを一枚の記録媒体に記録する。
【発明の効果】
【００１５】
請求項１記載のファクシミリ装置によれば、サイズ取得手段によって取得した相手側装置で受信可能な画像寸法が、画像情報生成手段によって生成される画像情報の画像寸法よりも小さい場合には、相手側装置で受信可能な画像寸法の画像へと画像情報に基づく画像を縮小した縮小画像情報が縮小画像情報生成手段により生成される。そして、その縮小画像情報が相手側装置へ送信されると、その縮小画像情報の相手側装置への送信結果を示す第１送信結果情報が第１の送信結果出力手段により出力される。よって、第１送信結果情報は、縮小画像情報が相手側装置へ送信された場合にのみ出力されるので、送信者による送信結果の確認が望まれる場合にのみ出力されることになる。従って、画像情報が相手側装置へ送信開始されると送信結果が毎回出力される場合と比較して、第１送信結果情報が出力される記録媒体などが、無駄に多く消費されることを抑制することができるという効果がある。また、第１送信結果情報が出力された場合には、送信された画像に潰れなどが生じている可能性があることを、送信者に簡単に認識させることができるので、送信者による送信結果の確認が不要となる場合に送信結果を確認する作業を省くことができ、送信者の労力や時間の浪費を抑制することができるという効果がある。
【００１６】
請求項２記載のファクシミリ装置によれば、請求項１記載のファクシミリ装置の奏する効果に加え、縮小画像情報の画像寸法を示す寸法情報、または、画像情報の画像寸法と縮小画像情報の画像寸法との比率を示す比率情報の少なくとも一方が、第１送信結果情報として出力されるので、送信者は、縮小画像情報に基づく画像が、画像情報に基づく画像からどの程度縮小されて送信されたかを知ることができる。従って、送信者は、その縮小された程度が適切であるかを簡単に認識することができるので、相手側装置へ送信された画像が不適切であれば、相手側装置へ適切な画像寸法の画像を再度送信するなどの対策を講じることができるという効果がある。
【００１７】
請求項３記載のファクシミリ装置によれば、請求項１または２記載のファクシミリ装置の奏する効果に加え、縮小画像情報に基づく画像の少なくとも一部が、第１送信結果情報として出力されるので、送信者は、その出力された画像を見ることで、相手側装置へ送信された縮小画像情報に基づく画像が、適切に縮小された画像であるかを簡単に認識することができるという効果がある。
【００１８】
請求項４記載のファクシミリ装置によれば、請求項３記載のファクシミリ装置の奏する効果に加え、縮小画像情報に基づく画像の少なくとも一部と、画像情報に基づく画像の少なくとも一部とが、第１送信結果情報として一枚の記録媒体に記録されるので、送信者は、その一枚の記録媒体に記録された画像を見比べることで、相手側装置へ送信された縮小画像情報に基づく画像が適切に縮小された画像であるかをより簡単に認識することができるという効果がある。また、第１送信結果情報が、一枚の記録媒体に記録されるので、縮小画像情報に基づく画像と画像情報に基づく画像とが複数の記録媒体に分けられて記録される場合と比較して、記録媒体の消費を抑制することができるという効果がある。
【００１９】
請求項５記載のファクシミリ装置によれば、サイズ取得手段によって取得した相手側装置で受信可能な画像寸法と、第３の記憶手段に記憶されている相手側装置で受信可能な画像寸法とが異なる場合に、送信画像情報が相手側装置へ送信されると、その送信画像情報の相手側装置への送信結果を示す第２送信結果情報が第２の送信結果出力手段により出力される。よって、第２送信結果情報は、相手側装置で受信可能な画像寸法が異なり、且つ、相手側装置へ送信画像情報が送信された場合にのみ出力されるので、送信者による送信結果の確認が望まれる場合にのみ出力されることになる。従って、画像情報が相手側装置へ送信開始されると送信結果が毎回出力される場合と比較して、第２送信結果情報が出力される記録媒体などが、無駄に多く消費されることを抑制することができるという効果がある。また、第２送信結果情報が出力された場合には、送信された画像に潰れなどが生じている可能性があることを、送信者に簡単に認識させることができるので、送信者による送信結果の確認が不要となる場合に送信結果を確認する作業を省くことができ、送信者の労力や時間の浪費を抑制することができるという効果がある。
【００２０】
請求項６記載のファクシミリ装置によれば、請求項５記載のファクシミリ装置の奏する効果に加え、サイズ取得手段によって取得した相手側装置の画像寸法が、第３の記憶手段に記憶されている相手側装置の画像寸法よりも小さい場合に、送信画像情報が相手側装置へ送信されると第２の送信結果情報が出力される。よって、第２送信結果情報は、相手側装置で受信可能な画像寸法が低下し、且つ、相手側装置へ送信画像情報が送信された場合にのみ出力されるので、相手側装置で受信可能な画像寸法が低下したことを送信者に簡単に認識させることができる。従って、送信者は、相手側装置への送信結果の確認が一層望まれる場合に、画像の潰れなどが生じていないかを確認することができるので、不要な送信結果を確認する送信者の労力や、時間の浪費を抑制することができるという効果がある。
【００２１】
請求項７記載のファクシミリ装置によれば、請求項５または６記載のファクシミリ装置の奏する効果に加え、送信画像情報の画像寸法を示す寸法情報、または、画像情報の画像寸法と送信画像情報の画像寸法との比率を示す比率情報の少なくとも一方が、第２送信結果情報として出力されるので、送信者は、送信画像情報に基づく画像が、画像情報に基づく画像からどの程度画像寸法が変更されたかを知ることができる。従って、送信者は、その変更された程度が適切であるかを簡単に認識することができるので、相手側装置へ送信された画像が不適切であれば、相手側装置へ適切な画像寸法の画像を再度送信するなどの対策を講じることができるという効果がある。
【００２２】
請求項８記載のファクシミリ装置によれば、請求項５から７のいずれかに記載のファクシミリ装置の奏する効果に加え、送信画像情報に基づく画像の少なくとも一部が、第２送信結果情報として出力されるので、送信者は、その出力された画像を見ることで、相手側装置へ送信された送信画像情報に基づく画像が、適切に生成された画像であるかを簡単に認識することができるという効果がある。
【００２３】
請求項９記載のファクシミリ装置によれば、請求項８記載のファクシミリ装置の奏する効果に加え、送信画像情報に基づく画像の少なくとも一部と、画像情報に基づく画像の少なくとも一部とが、第２送信結果情報として一枚の記録媒体に記録されるので、送信者は、その一枚の記録媒体に記録された画像を見比べることで、相手側装置へ送信された送信画像情報に基づく画像が適切に生成された画像であるかをより簡単に認識することができるという効果がある。また、第２送信結果情報が、一枚の記録媒体に記録されるので、送信画像情報に基づく画像と画像情報に基づく画像とが複数の記録媒体に分けられて記録される場合と比較して、記録媒体の消費を抑制することができるという効果がある。
【発明を実施するための最良の形態】
【００２４】
以下、本発明の好ましい実施形態について、添付図面を参照して説明する。図１は、本発明の第１の実施形態におけるファクシミリ装置を有した多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。
【００２５】
ＭＦＰ１は、電話回線網１００（図２参照）を介して接続される被呼側装置２００（図２参照）とファクシミリ通信可能に構成されており、被呼側装置２００で受信可能な原稿サイズ（用紙サイズ）が、ＭＦＰ１が被呼側装置２００へ送信する原稿の原稿サイズよりも小さい場合に、送信する原稿の画像を被呼側装置２００で受信可能な原稿サイズとなるように縮小して送信する。
【００２６】
特に、本実施形態のＭＦＰ１は、送信する原稿の画像が縮小されて、被呼側装置２００へ送信された場合にのみ、その送信結果を示す送信確認レポート３０（図５参照）を記録用紙に記録する機能を有している。なお、原稿サイズは、特許請求の範囲に記載の画像寸法の一例に該当する。また、このＭＦＰ１は、プリンタ機能、スキャナ機能、及び、コピー機能などの各種機能も有している。
【００２７】
ＭＦＰ１の本体の前面には、開口部５が設けられ内部が上下に仕切られている。開口部５の下側には、複数枚の記録用紙を積層収納可能な給紙カセット３が挿入されている。給紙カセット３は、Ａ３サイズ等にカットされた記録用紙が収納可能に構成されている。開口部５の上側は記録済みの記録用紙が排紙される排紙部４となっている。
【００２８】
本体の内部には、ＣＰＵ１１（図２参照）からの指示に基づいて、所定の給紙位置（非図示）にセットされた記録用紙への記録を行うためのインクジェット方式のプリンタ２１が内蔵されている。プリンタ２１は、記録用紙を搬送する記録用紙搬送用モータ（非図示）と、記録用紙へインクを吐出する印字ヘッド（非図示）と、その印字ヘッドを搭載したキャリッジ（非図示）を移動させるキャリッジモータ（非図示）とを有している。
【００２９】
開口部５の上部には、ファクシミリ機能やスキャナ機能やコピー機能の実行時に、原稿を読み取るためのスキャナ２０が配置されている。このスキャナ２０では、原稿サイズ「Ａ３」までの大きさの原稿を読み取ることができる。原稿カバー体８の下側には、原稿を載置するための載置用ガラス板（図示しない）が設けられており、原稿を読み取る場合は、原稿カバー体８を上側に開き、載置用ガラス板上に原稿を載置し、原稿カバー体８を閉じて原稿を固定する。
【００３０】
そして、操作キー１５のＦＡＸ送信キー１５ａを押下すると、載置用ガラス板の下側に設けられている原稿読取センサー（図示しない）によって、載置用ガラス板上に載置されている原稿の画像が読み取られる。原稿読取センサーとしては、例えばＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｄｅ）が用いられている。
【００３１】
スキャナ２０によって原稿の画像が読み取られる場合、先に、原稿の原稿サイズが取得され、次いで、その原稿サイズに応じた画像が生成される。まず、原稿読取センサーによって、載置用ガラス板上の読取可能な領域全体が粗い画質で素早く読み取られる。読み取られた画像には、原稿の画像と、原稿を固定している原稿カバー体８の画像とが含まれており、その中から原稿と原稿カバー体８との境界が検出される。そして、原稿の画像であると認識された領域の形状や大きさ等に基づいて、原稿の原稿サイズが決定され、その原稿サイズがＲＡＭ１３の原稿サイズメモリ１３ａ（図２参照）に記憶される。次に、再度、原稿読取センサーによって、原稿が所定の解像度（例えば、ファクシミリ送信用の解像度）で読み取られ、その画像データが原稿画像メモリ１３ｂ（図２参照）に記憶される。
【００３２】
原稿カバー体８の前方には、横長形状の操作パネル６が設けられており、操作キー１５、ＬＣＤ１６とを具備する。操作キー１５には、指定した送信先へファックスを送信するためのＦＡＸ送信キー１５ａ、予め登録されている複数の送信先の中から、送信先を選択するための送信先選択キー１５ｂ、送信先のＦＡＸ番号を入力するための数字キー１５ｃなどが設けられている。また、操作者は、操作キー１５の各種キーを押下することで、例えば、電源のオン／オフや、各機能の切り替えなどの操作を行うことができる。
【００３３】
ＬＣＤ１６には、メニューや操作手順や実行中の処理の状態が表示される。また、操作キー１５の押下に対応する情報が表示されるので、操作者は送信先のＦＡＸ番号や、送信先へ送信された原稿枚数などの各種情報を確認することができる。
【００３４】
次に、図２を参照して、ＭＦＰ１の電気的構成について説明する。図２は、ＭＦＰ１の電気的構成を示すブロック図である。ＭＦＰ１は、ＣＰＵ１１、ＲＯＭ１２、ＲＡＭ１３、フラッシュメモリ１４、操作キー１５、ＬＣＤ１６、スキャナ２０、プリンタ２１、モデム２３、ＮＣＵ２４とを主に有している。
【００３５】
ＣＰＵ１１、ＲＯＭ１２、ＲＡＭ１３、フラッシュメモリ１４は、バスライン２６を介して互いに接続されている。また、操作キー１５、ＬＣＤ１６、スキャナ２０、プリンタ２１、モデム２３、ＮＣＵ２４、バスライン２６は、入出力ポート２７を介して互いに接続されている。
【００３６】
ＣＰＵ１１は、ＲＯＭ１２やＲＡＭ１３やフラッシュメモリ１４に記憶される固定値やプログラムに従って、ＭＦＰ１が有している各機能の制御や、入出力ポート２７と接続された各部を制御するものである。
【００３７】
ＲＯＭ１２は、ＭＦＰ１で実行される制御プログラムなどを格納した書換不能なメモリである。図４のフローチャートに示すメイン処理を実行するプログラムは、このＲＯＭ１２に格納されている。
【００３８】
ＲＡＭ１３は、書き替え可能な揮発性のメモリであり、ＭＦＰ１の各操作の実行時に各種のデータを一時的に記憶するためのメモリである。ＲＡＭ１３には、原稿サイズメモリ１３ａと、原稿画像メモリ１３ｂと、被呼側原稿サイズメモリ１３ｃと、縮小率メモリ１３ｄと、縮小原稿画像メモリ１３ｅとが設けられている。
【００３９】
原稿サイズメモリ１３ａは、スキャナ２０で原稿が読み取られた場合に、読み取られた原稿の原稿サイズが記憶されるメモリである。例えば、「Ａ３」というように、原稿サイズ（原稿の寸法）が記憶される。原稿画像メモリ１３ｂは、スキャナ２０で原稿が読み取られた場合に、読み取られた原稿の画像データが記憶されるメモリである。
【００４０】
被呼側原稿サイズメモリ１３ｃは、被呼側装置２００で受信可能な原稿サイズが記憶されるメモリである。詳細については、図３を参照して後述するが、被呼側装置２００からＭＦＰ１へ送信されるＤＩＳ信号には、被呼側装置２００で受信可能な最大の原稿サイズを示す情報が含まれている。ＭＦＰ１は、その被呼側装置２００から送信されるＤＩＳ信号を受信した場合に、その被呼側装置２００で受信可能な原稿サイズを、被呼側原稿サイズメモリ１３ｃに記憶する。例えば、「Ａ４」というように、原稿サイズが記憶される。
【００４１】
縮小率メモリ１３ｄは、原稿画像メモリ１３ｂに記憶されている画像データの画像を、被呼側装置２００で受信可能な原稿サイズへと縮小する場合の画像の縮小率が記憶されるメモリである。被呼側原稿サイズメモリ１３ｃに記憶されている原稿サイズと、原稿サイズメモリ１３ａに記憶されている原稿サイズとに基づいて縮小率が算出される。例えば、被呼側装置２００へ送信する画像データの原稿サイズが「Ａ３」であり、被呼側装置２００で受信可能な原稿サイズが「Ａ４」であれば、縮小率「７０％」と記憶される。
【００４２】
縮小原稿画像メモリ１３ｅは、原稿画像メモリ１３ｂに記憶されている画像データの画像が、縮小率メモリ１３ｄに記憶される縮小率に従って縮小された場合に、その縮小された画像の画像データ（特許請求の範囲に記載の縮小画像情報の一例）が記憶されるメモリである。
【００４３】
フラッシュメモリ１４は書換可能な不揮発性のメモリであり、このフラッシュメモリ１４に記憶されたデータは、ＭＦＰ１の電源オフ後も保持される。フラッシュメモリ１４には、送信先登録メモリ１４ａが設けられている。
【００４４】
送信先登録メモリ１４ａは、送信先のＦＡＸ番号や、送信先の名称などを予め記憶しておくためのメモリである。なお、送信先のＦＡＸ番号や、送信先の名称は、特許請求の範囲に記載の相手側装置の識別情報の一例に該当する。この送信先登録メモリ１４ａに、予め、送信先のＦＡＸ番号や送信先の名称などを記憶しておけば、上述した送信先選択キー１５ｂを操作して、原稿の送信先を選択することができる。
【００４５】
モデム２３は、ファクシミリ機能によって送信する画像データを、電話回線網１００に伝送可能な信号に変調してＮＣＵ２４を介して送信したり、電話回線網１００からＮＣＵ２４を介して入力された信号を受信し、ＬＣＤ１６に表示したりプリンタ２１で記録用紙に記録できるように画像データへ復調するものである。ＮＣＵ２４は、電話回線網１００と接続されており、電話回線網１００へのダイヤル信号の送出や、電話回線網１００からの呼出信号の応答などの制御を行うものである。
【００４６】
次に、図３を参照して、ＭＦＰ１（発呼側装置）と被呼側装置２００との間で、ファクシミリ通信時に送受信される各種信号について説明する。
【００４７】
図３は、ＭＦＰ１と被呼側装置との間で行われる通信制御の手順の概略を示す概略図である。ＭＦＰ１から被呼側装置２００が発呼されると、呼出信号４１が交換機を介して、被呼側装置２００へ送信される。被呼側装置２００がこの呼出信号４１を受けて電話回線を閉結４２すると、ＭＦＰ１から非音声端末であることを表すＣＮＧ信号４３が被呼側装置２００へ送信される。
【００４８】
被呼側装置２００は、ＣＮＧ信号４３を受信すると、ＣＥＤ信号４４を送信し、続いて、ＣＳＩ信号４５と、ＤＩＳ信号４６とをＭＦＰ１へ送信する。ＣＳＩ信号４５は被呼端末識別信号、即ち、被呼側装置２００のＦＡＸ番号を表す信号である。また、ＤＩＳ信号４６は、被呼側装置２００が有する送受信機能（受信可能な最大の原稿サイズ、解像度、符号化方式、通信速度等）をＭＦＰ１に知らせるための信号である。
【００４９】
ＭＦＰ１は、ＤＩＳ信号４６を受信すると、被呼側装置２００で受信可能な最大の原稿サイズを取得して、その原稿サイズを、ＲＡＭ１３の被呼側原稿サイズメモリ１３ｃに記憶する。そして、ＴＳＩ信号４７と、ＤＣＳ信号４８とを被呼側装置２００へ送信する。
【００５０】
ＴＳＩ信号４７は発呼端末識別信号、即ち、ＭＦＰ１のＦＡＸ番号を表す信号である。また、ＤＣＳ信号４８は、ＭＦＰ１が、ＤＩＳ信号４６により示された被呼側装置２００の送受信機能に基づいて決定した送信パラメータ（送信する原稿サイズ、解像度、符号化方式、通信速度等）を被呼側装置２００へ知らせるための信号である。
【００５１】
ＭＦＰ１は、被呼側原稿サイズメモリ１３ｃの原稿サイズが、原稿サイズメモリ１３ａに記憶されている原稿サイズよりも小さい場合に、画像データの原稿サイズを被呼側装置２００で受信可能な原稿サイズに合わせて（縮小して）送信することを、このＤＣＳ信号４８により被呼側装置２００へ知らせる。なお、被呼側原稿サイズメモリ１３ｃの原稿サイズが、原稿サイズメモリ１３ａの原稿サイズよりと同じか又は大きい場合は、画像データを、そのままの原稿サイズで送信することを被呼側装置２００へ知らせる。
【００５２】
そして、ＭＦＰ１は、ＤＣＳ信号４８の送信後、ＴＣＦ信号４９を被呼側装置２００へ送信する。ＴＣＦ信号４９は、被呼側装置２００が正常にデータ受信できるか否かを確かめるための信号である。被呼側装置２００は、ＴＣＦ信号４９を正常に受信できた場合に、ＣＦＲ信号５０を送信して、画像データの受信準備が整ったこと、及び、画像データの送信を開始して良いことをＭＦＰ１へ知らせる。
【００５３】
ＭＦＰ１は、ＣＦＲ信号５０を受信すると、ＰＩＸ信号５１と、ＥＯＰ信号５２とを被呼側装置２００へ送信する。ＰＩＸ信号５１は、画像データを被呼側装置２００へ送信するための信号である。被呼側原稿サイズメモリ１３ｃの原稿サイズが、原稿サイズメモリ１３ａの原稿サイズよりも小さい場合には、このＰＩＸ信号５１によって、縮小原稿画像メモリ１３ｅに記憶されている画像データが送信される。
【００５４】
また、被呼側原稿サイズメモリ１３ｃの原稿サイズが、原稿サイズメモリ１３ａの原稿サイズよりと同じか又は大きい場合には、ＰＩＸ信号５１によって、原稿画像メモリ１３ｂに記憶されている画像データが送信される。ＥＯＰ信号５２は、ＰＩＸ信号５１による画像データの送信が終了したことを知らせるとともに、被呼側装置２００が正常に画像データを受信できたかを確かめるための信号である。
【００５５】
被呼側装置２００は、ＰＩＸ信号５１により送信された画像データを正常に受信できた場合に、ＥＯＰ信号５２を受信すると、ＭＣＦ信号５３をＭＦＰ１へ送信する。ＭＣＦ信号５３は、ＰＩＸ信号５１により送信された画像データを正常に受信できたことを、ＭＦＰ１に知らせるための信号である。ＭＦＰ１は、ＭＣＦ信号５３を受信すると、閉結中の電話回線を開放することを表すＤＣＮ信号５４を被呼側装置２００へ送信し、電話回線を開放する。
【００５６】
以上説明したように、ＭＦＰ１と被呼側装置２００との間で各種信号の送受信が行われて、ファクシミリ通信が行われる。
【００５７】
次に、図４を参照して、ＭＦＰ１のＣＰＵ１１により実行されるＦＡＸ送信処理について説明する。
【００５８】
図４は、ＭＦＰ１のＦＡＸ送信処理を示すフローチャートである。このＦＡＸ送信処理は、原稿の画像を被呼側装置２００へ送信するための処理であり、特に、原稿の画像が縮小されて被呼側装置２００へ送信された場合にのみ、その送信結果を示す送信確認レポート３０（図５参照）をプリンタ２１により記録用紙に記録するための処理である。また、このＦＡＸ送信処理は、送信先選択キー１５ｂによって原稿の送信先が選択された場合や、数字キー１５ｃによってＦＡＸ番号が入力され送信先が指定された場合に、ＦＡＸ送信キー１５ａが押下されると実行される処理である。
【００５９】
ＦＡＸ送信処理では、まず、ＲＡＭ１３の各メモリ１３ａ〜１３ｅを初期化し（Ｓ１）、スキャナ２０によって被呼側装置２００へ送信する原稿を読み取り、原稿の原稿サイズを取得して、その原稿サイズをＲＡＭ１３の原稿サイズメモリ１３ａに記憶する（Ｓ２）。続けて、スキャナ２０によって、原稿の画像を読み取り、読み取った原稿の画像データを原稿画像メモリ１３ｂに記憶する（Ｓ３）。
【００６０】
次に、電話回線網１００を介して、被呼側装置２００を呼び出し、電話回線を閉結する（Ｓ４）。そして、図３で上述したように、ＭＦＰ１は、ＣＮＧ信号４３を被呼側装置２００へ送信する。被呼側装置２００は、ＣＮＧ信号４３を受信すると、ＣＥＤ信号４４と、ＣＳＩ信号４５と、ＤＩＳ信号４６とをＭＦＰ１へ送信する。そして、ＭＦＰ１は、被呼側装置２００から送信されるＤＩＳ信号４６を受信すると、そのＤＩＳ信号４６に含まれる複数の情報から被呼側装置２００で受信可能な原稿サイズを取得し、被呼側原稿サイズメモリ１３ｃに記憶する（Ｓ５）。
【００６１】
次に、スキャナ２０で読み取った原稿の原稿サイズが、被呼側装置２００で受信可能な原稿サイズを超えているかを判定する（Ｓ６）。すなわち、原稿サイズメモリ１３ａに記憶されている原稿サイズが、被呼側原稿サイズメモリ１３ｃに記憶されている原稿サイズを超えているかを判定する。
【００６２】
例えば、スキャナ２０で読み取った原稿のサイズが「Ａ３」であり、被呼側装置２００で受信可能な原稿サイズが「Ａ４」であるとすると、原稿サイズメモリ１３ａには「Ａ３」という原稿サイズが記憶され、被呼側原稿サイズメモリ１３ｃには「Ａ４」という原稿サイズが記憶される。そして、Ｓ６の処理によって、原稿サイズメモリ１３ａの原稿サイズ「Ａ３」と、被呼側原稿サイズメモリ１３ｃの原稿サイズ「Ａ４」とが比較され、原稿サイズメモリ１３ａの原稿サイズ「Ａ３」が、被呼側原稿サイズメモリ１３ｃの原稿サイズ「Ａ４」を超えていると判定される。
【００６３】
原稿サイズメモリ１３ａの原稿サイズが、被呼側原稿サイズメモリ１３ｃの原稿サイズと同じか又は小さい場合は（Ｓ６：Ｎｏ）、ＤＣＳ信号４８を被呼側装置２００へ送信し、原稿サイズメモリ１３ａの原稿サイズ（スキャナ２０で読み取った原稿サイズ）で、画像データを送信することを被呼側装置２００へ通知する（Ｓ１１）。
【００６４】
そして、原稿画像メモリ１３ｂに記憶されている画像データを、被呼側装置２００へ送信して、送信が完了したら閉結中の電話回線を開放し（Ｓ１２）、このＦＡＸ送信処理を終了する。
【００６５】
Ｓ６の処理において、原稿サイズメモリ１３ａの原稿サイズが、被呼側原稿サイズメモリ１３ｃの原稿サイズを超えている場合は（Ｓ６：Ｙｅｓ）、ＤＣＳ信号４８を被呼側装置２００へ送信し、被呼側原稿サイズメモリ１３ｃの原稿サイズで、画像データを送信することを被呼側装置２００へ通知する（Ｓ７）。すなわち、スキャナ２０で読み取った画像データの原稿サイズを、被呼側装置２００で受信可能な原稿サイズに合うように縮小して、被呼側装置２００へ画像データを送信するのである。
【００６６】
次に、スキャナ２０で読み取った原稿の原稿サイズを、被呼側装置２００で受信可能な原稿サイズに合わせるために、読み取った原稿の原稿サイズを、被呼側装置２００で受信可能な原稿サイズへと縮小する縮小率を算出し、縮小率メモリ１３ｄに記憶する（Ｓ８）。
【００６７】
例えば、原稿サイズメモリ１３ａに「Ａ３」という原稿サイズが記憶されており、被呼側原稿サイズメモリ１３ｃに「Ｂ４」という原稿サイズが記憶されているとする。「Ａ３」の原稿中に記載されている文字や画像などを、「Ｂ４」の原稿中に収めるためには、「Ａ３」の原稿を「８６％」縮小すれば良いというように、縮小率を算出することができる。その他の原稿サイズでも同様に、各原稿サイズの寸法から、縮小率を算出することができる。
【００６８】
次に、原稿画像メモリ１３ｂに記憶されている画像データの画像を、縮小率メモリ１３ｄに記憶されている縮小率で縮小して、その画像データを縮小原稿画像メモリ１３ｅに記憶する（Ｓ９）。そして、縮小原稿画像メモリ１３ｅに記憶されている画像データを、被呼側装置２００へ送信して、送信が完了したら閉結中の電話回線を開放し（Ｓ１０）、プリンタ２１で（後述する）送信確認レポート３０を記録用紙に記録して（Ｓ１３）、このＦＡＸ送信処理を終了する。
【００６９】
この図４のフローチャートのＦＡＸ送信処理により、原稿の画像が縮小されて被呼側装置２００へ送信された場合にのみ、その送信結果を示す送信確認レポート３０（図５参照）をプリンタ２１により記録用紙に記録することができる。よって、原稿の画像が被呼側装置２００へ送信された場合に、毎回、送信確認レポート３０が記録用紙に記録される場合と比較して、送信者による送信結果の確認が望まれる場合のみ記録用紙に記録することができるので、記録用紙や記録に使用するインクの無駄な消費を抑制することができる。
【００７０】
また、送信確認レポート３０が記録用紙に記録された場合には、送信された画像に潰れなどが生じている可能性があることを、送信者に簡単に認識させることができるので、送信者による送信結果の確認が不要となる場合に送信結果を確認する作業を省くことができ、送信者の労力や時間の浪費を抑制することができる。
【００７１】
次に、図５を参照して、原稿の画像が縮小されて被呼側装置２００へ送信された場合に、プリンタ２１によって記録用紙に記録される送信確認レポート３０について説明する。
【００７２】
図５は、記録用紙に記録される送信確認レポート３０の内容の一例を示すイメージ図である。送信確認レポート３０には、上方から下方に向かって順に、タイトル３１と、送信結果情報３２と、縮小結果情報３３（特許請求の範囲に記載の寸法情報の一例）とが記載されている。なお、タイトル３１と、送信結果情報３２と、縮小結果情報３３とは、それぞれ第１送信結果情報の一例に該当する。
【００７３】
タイトル３１は、送信確認レポート３０の表題であり、例えば、「送信確認レポート」と記載されている。送信結果情報３２は、縮小された画像の送信結果を示すものであり、送信日時と、相手先名称と、通信時間と、ページ数と、送信結果と、送信画質とによって構成されている。
【００７４】
送信日時は、縮小された画像が被呼側装置２００へ送信開始された日時であり、例えば、「送信日時  １１／２  １８：００」と記載される。相手先名称は、縮小された画像が送信された送信先の名称であり、送信先選択キー１５ｂによって送信先が選択された場合には、その選択された送信先の名称が記載される。また、数字キー１５ｃによって、送信先のＦＡＸ番号が入力され送信先が指定された場合には、その入力されたＦＡＸ番号が記載される。例えば、送信先選択キー１５ｂにより、Ａ社を送信先として選択した場合は、「相手先名称  Ａ社」と記載される。
【００７５】
通信時間は、被呼側装置２００との通信時間であり、電話回線が閉結されてから開放されるまでの時間である。例えば、通信時間が３０秒であれば、「通信時間  ００：００：３０」と記載される。ページ数は、被呼側装置２００へ画像を送信した原稿の枚数であり、例えば、送信された原稿が１枚であれば、「ページ数  ０１」と記載される。
【００７６】
送信結果は、被呼側装置２００との通信結果であり、例えば、正常に画像データが送信できた場合に、「通信結果  ＯＫ」と記載される。また、被呼側装置２００が通話中であったり、正常に画像データが送信できなかった場合は、「通信結果  エラー」と記載される。
【００７７】
送信画質は、被呼側装置２００へ送信した画像データの画質である。画像データの画質は、「標準」または「詳細」の何れか一方を選択することができ、通常は標準で送信されるように設定されている。例えば、画像データの画質の設定が標準であれば、「送信画質  標準」と記載される。
【００７８】
縮小結果情報３３は、縮小されて送信された画像の縮小結果を示すものであり、被呼側装置２００へ送信された画像データの原稿サイズと、縮小されて送信された結果を補足する記事とによって構成されている。
【００７９】
例えば、スキャナ２０で読み取った原稿の原稿サイズが「Ａ３」であって、被呼側装置２００で受信可能な原稿サイズが「Ｂ４」である場合は、被呼側装置２００へ送信する画像データの原稿サイズが、被呼側装置２００で受信可能な原稿サイズへと縮小されて送信されるので、「Ａ３」から「Ｂ４」へと縮小されて送信される。
【００８０】
この場合、送信確認レポート３０には、「原稿サイズ  Ｂ４＊＊」と、「＊＊：相手機の受信能力により縮小送信されました。」という縮小結果情報３３が記載される。
【００８１】
なお、変形例として、被呼側装置２００へ送信された画像データの原稿サイズの代わりに、スキャナ２０で読み取った画像データの原稿サイズを被呼側装置２００で受信可能な原稿サイズに合うように縮小した縮小率を記載しても良い。また、その縮小率と、被呼側装置２００へ送信された画像データの原稿サイズとをそれぞれ記載しても良い。
【００８２】
上述したように、送信確認レポート３０には、縮小結果情報３３として、被呼側装置２００へ送信された画像データの原稿サイズが記載されているので、送信者は、原稿の画像が、どの程度縮小されて被呼側装置２００へ送信されたかを簡単に認識することができる。よって、送信者は、被呼側装置２００へ縮小されて送信された画像が不適切であれば、原稿の画像の大きさや、原稿の原稿サイズなどを適切なものに変更して、再度送信するなどの対策を講じることができる。
【００８３】
また、一枚の記録用紙に一つの送信確認レポート３０が記録されるので、送信確認レポート３０が複数の記録用紙に分けられて記録される場合や、一枚の記録用紙に複数の送信確認レポート３０が記録される場合と比較して、送信者は、各送信確認レポート３０を一目で確認することができるので分かり易い。
【００８４】
次に、図６から図８を参照して、本発明の第２の実施形態におけるファクシミリ装置を有したＭＦＰ７１について説明する。
【００８５】
第１の実施形態のＭＦＰ１は、原稿の画像を縮小して被呼側装置２００へ送信した場合にのみ、送信確認レポート３０を記録用紙に記録するという形態であるが、第２の実施形態のＭＦＰ７１は、被呼側装置２００で受信可能な最大の原稿サイズが、前回の画像の送信時よりも低下しており、且つ、原稿の画像を縮小してその被呼側装置２００へ送信した場合にのみ、送信確認レポート６０（図８参照）を記録用紙に記録するという形態である。なお、送信確認レポート６０は、特許請求の範囲に記載の第２送信結果情報の一例に該当する。
【００８６】
図６（ａ）を参照して、第２の実施形態におけるＭＦＰ７１の電気的構成について説明する。
【００８７】
図６（ａ）は、ＭＦＰ７１のフラッシュメモリ７４の電気的構成を示すブロック図である。図６（ａ）に示すＭＦＰ７１の電気的構成を示すブロック図において、第１の実施形態であるＭＦＰ１のブロック図（図２参照）と異なる部分は、フラッシュメモリ７４のみであるため、フラッシュメモリ７４についてのみ説明し、その他の同一部分については、その説明を省略する。
【００８８】
フラッシュメモリ７４には、送信先登録メモリ７４ａと、被呼側受信可能サイズメモリ７４ｂとが設けられている。送信先登録メモリ７４ａは、第１の実施形態で説明した送信先登録メモリ１４ａと同様に構成されているので、その説明を省略する。
【００８９】
被呼側受信可能サイズメモリ７４ｂは、画像の送信先である被呼側装置２００からＤＩＳ信号によって通知された受信可能な最大の原稿サイズを、送信先毎に個別に記憶するためのメモリである。
【００９０】
この被呼側受信可能サイズメモリ７４ｂには、被呼側装置２００への原稿の画像の送信が完了した場合に、毎回、画像の送信日時と、画像を送信した送信先と、その送信先の被呼側装置２００からＤＩＳ信号によって通知された受信可能な最大の原稿サイズとが関連づけられて記憶される。
【００９１】
既に、送信日時と、送信先と、その送信先の被呼側装置２００の原稿サイズとが関連づけられて記憶されている場合は、既に記憶されている情報に替えて、新たに送信が完了した送信日時と、送信先と、その送信先の原稿サイズとが記憶される。
【００９２】
なお、この被呼側受信可能サイズメモリ７４ｂは、操作者が操作キー１５を操作して、送信先と、その送信先の原稿サイズとを入力できるように構成しておいても良い。その場合、操作者による入力日時を送信日時として、各情報が関連づけられて記憶されるようにしても良い。
【００９３】
次に、図６（ｂ），（ｃ）を参照して、フラッシュメモリ７４の被呼側受信可能サイズメモリ７４ｂの内容の一例について説明する。図６（ｂ），（ｃ）は、被呼側受信可能サイズメモリ７４ｂの内容の一例を示す概略図である。
【００９４】
図６（ｂ）に示すように、被呼側受信可能サイズメモリ７４ｂには、送信日時と、送信先と、受信原稿サイズとが関連づけられて記憶されている。
【００９５】
送信日時は、原稿の画像が被呼側装置２００へ送信開始された日時である。送信先は、原稿の画像が送信された送信先の名称であり、送信先選択キー１５ｂによって送信先が選択された場合には、その選択された送信先の名称が記憶される。また、数字キー１５ｃによって、送信先のＦＡＸ番号が入力され送信先が指定された場合には、その入力されたＦＡＸ番号が記憶される。
【００９６】
受信原稿サイズは、画像の送信先である被呼側装置２００からＤＩＳ信号によって通知された受信可能な最大の原稿サイズである。例えば、被呼側装置２００で受信可能な最大の原稿サイズが「Ａ３」であり、「２００７年１１月１日１３時３０分」に、「Ａ社」へ原稿サイズ「Ｂ４」の原稿の画像が送信されると、送信日時「２００７／１１／１  １３：３０」と、送信先「Ａ社」と、受信原稿サイズ「Ａ３」とが、それぞれ関連づけられて記憶される。
【００９７】
ここで、新たな送信先である「Ｃ社」へ、「２００７年１１月２日１２時００分」に、原稿サイズ「Ａ４」の原稿の画像がされた場合に、被呼側装置２００で受信可能な最大の原稿サイズが「Ａ４」であれば、図６（ｃ）に示すように、送信日時「２００７／１１／２  １２：００」と、送信先「Ｃ社」と、受信原稿サイズ「Ａ４」とが、それぞれ関連づけられて記憶される。
【００９８】
また、再び「Ａ社」へ、「２００７年１１月２日１８時００分」に、原稿サイズ「Ａ４」の原稿の画像が送信された場合に、被呼側装置２００で受信可能な最大の原稿サイズが「Ｂ４」と変化していれば、図６（ｃ）に示すように、送信日時「２００７／１１／１  １３：３０」と、送信先「Ａ社」と、受信原稿サイズ「Ａ３」という既に記憶されているデータに替えて、送信日時「２００７／１１／２  １８：００」と、送信先「Ａ社」と、受信原稿サイズ「Ｂ４」というデータに書き替えられる。
【００９９】
次に、図７を参照して、第２の実施形態のＭＦＰ７１のＣＰＵ１１により実行されるＦＡＸ送信処理について説明する。
【０１００】
図７は、第２の実施形態のＭＦＰ７１のＦＡＸ送信処理を示すフローチャートである。図７に示すＦＡＸ送信処理のフローチャートにおいて、図４に示すフローチャートと同一部分については、同一の符号を付しその説明を省略し、異なる部分についてのみ説明する。なお、この図７のフローチャートに示すメイン処理を実行するプログラムは、ＲＯＭ１２に格納されている。
【０１０１】
このＦＡＸ送信処理は、このＦＡＸ送信処理は、原稿の画像を被呼側装置２００へ送信するための処理であり、特に、被呼側装置２００で受信可能な最大の原稿サイズが、前回の画像の送信時よりも低下しており、且つ、原稿の画像を縮小してその被呼側装置２００へ送信した場合にのみ、送信確認レポート６０（図８参照）をプリンタ２１により記録用紙に記録するための処理である。
【０１０２】
また、このＦＡＸ送信処理は、送信先選択キー１５ｂによって原稿の送信先が選択された場合や、数字キー１５ｃによってＦＡＸ番号が入力され送信先が指定された場合に、ＦＡＸ送信キー１５ａが押下されると実行される処理である。
【０１０３】
Ｓ１０の処理が終了すると、次に、画像の送信先である被呼側装置２００からＤＩＳ信号によって通知された受信可能な最大の原稿サイズが、フラッシュメモリ７４の被呼側受信可能サイズメモリ７４ｂに記憶されている被呼側装置２００の原稿サイズよりも小さいかを判定する（Ｓ２１）。すなわち、被呼側原稿サイズメモリ１３ｃの原稿サイズが、被呼側受信可能サイズメモリ７４ｂに記憶されている被呼側装置２００の原稿サイズよりも小さいかを判定する。
【０１０４】
Ｓ２１の処理において、被呼側原稿サイズメモリ１３ｃの原稿サイズが、被呼側受信可能サイズメモリ７４ｂに記憶されている被呼側装置２００の原稿サイズよりも小さい場合は（Ｓ２１：Ｙｅｓ）、プリンタ２１で（後述する）送信確認レポート６０を記録用紙に記録する（Ｓ２２）。
【０１０５】
一方、被呼側原稿サイズメモリ１３ｃの原稿サイズが、被呼側受信可能サイズメモリ７４ｂに記憶されている被呼側装置２００の原稿サイズと同じか又は大きい場合は（Ｓ２１：Ｎｏ）、Ｓ２２の処理をスキップして、Ｓ２３の処理に移行する。
【０１０６】
そして、原稿の画像を送信開始した送信日時と、画像を送信した送信先と、その送信先の被呼側装置２００からＤＩＳ信号によって通知された受信可能な最大の原稿サイズとを関連づけて、被呼側受信可能サイズメモリ７４ｂに記憶し（Ｓ２３）、このＦＡＸ送信処理を終了する。
【０１０７】
なお、Ｓ２３の処理において、既に、送信日時と、送信先と、その送信先の被呼側装置２００の原稿サイズとが関連づけられて記憶されている場合は、既に記憶されている情報に替えて、新たに送信が完了した送信日時と、送信先と、その送信先の原稿サイズとを記憶する。
【０１０８】
この図７のフローチャートのＦＡＸ送信処理により、被呼側装置２００で受信可能な最大の原稿サイズが、前回の画像の送信時よりも低下しており、且つ、原稿の画像を縮小してその被呼側装置２００へ送信した場合にのみ、送信確認レポート６０（図８参照）をプリンタ２１により記録用紙に記録することができる。よって、原稿の画像が被呼側装置２００へ送信された場合に、毎回、送信確認レポート６０が記録用紙に記録される場合と比較して、送信者による送信結果の確認が望まれる場合のみ記録用紙に記録することができるので、記録用紙や記録に使用するインクの無駄な消費を抑制することができる。
【０１０９】
また、送信確認レポート６０が記録用紙に記録された場合には、送信された画像に潰れなどが生じている可能性があることを、送信者に簡単に認識させることができるので、送信者による送信結果の確認が不要となる場合に送信結果を確認する作業を省くことができ、送信者の労力や、時間の浪費を抑制することができる。
【０１１０】
次に、図８を参照して、被呼側装置２００で受信可能な最大の原稿サイズが、前回の画像の送信時よりも低下しており、且つ、原稿の画像が縮小されて被呼側装置２００へ送信された場合に、プリンタ２１によって記録用紙に記録される送信確認レポート６０について説明する。
【０１１１】
図８は、記録用紙に記録された送信確認レポート６０の内容の一例を示すイメージ図である。図８に示す送信確認レポート６０において、図５に示す送信確認レポート３０と同一部分については、同一の符号を付しその説明を省略し、異なる部分についてのみ説明する。
【０１１２】
送信確認レポート６０には、上方から下方に向かって順に、タイトル３１と、送信結果情報３２と、縮小結果情報６１（特許請求の範囲に記載の寸法情報の一例、および、比率情報の一例に該当する）と、読取画像６２と、送信画像６３とが記載されている。なお、タイトル３１と、送信結果情報３２と、縮小結果情報６１と、読取画像６２と、送信画像６３とは、それぞれ第２送信結果情報の一例に該当する。
【０１１３】
縮小結果情報６１は、縮小されて被呼側装置２００へ送信された画像の縮小結果を示すものであり、スキャナ２０で読み取られた原稿の原稿サイズと、被呼側装置２００へ送信された画像データの原稿サイズと、スキャナ２０で読み取った原稿の原稿サイズを被呼側装置２００で受信可能な原稿サイズへと縮小した縮小率と、縮小されて送信された結果を補足する記事とによって構成されている。
【０１１４】
例えば、スキャナ２０で読み取られた原稿の原稿サイズが「Ａ３」であって、被呼側装置２００で受信可能な原稿サイズが「Ｂ４」である場合は、送信確認レポート６０には、「原稿サイズ  Ａ３→Ｂ４＊＊（縮小率８６％）」と、「＊＊：相手機の受信能力により縮小送信されました。」という縮小結果情報６１が記載される。
【０１１５】
読取画像６２は、スキャナ２０で読み取られた原稿の画像の一部である。すなわち、ＲＡＭ１３の原稿画像メモリ１３ｂに記憶されている画像データの画像の一部である。送信画像６３は、被呼側装置２００へ送信された画像データの画像の一部である。すなわち、ＲＡＭ１３の縮小原稿画像メモリ１３ｅに記憶されている画像データの画像の一部である。
【０１１６】
上述したように、送信確認レポート６０には、縮小結果情報６１として、スキャナ２０で読み取られた原稿の原稿サイズと、被呼側装置２００へ送信された画像データの原稿サイズと、スキャナ２０で読み取った原稿の原稿サイズを被呼側装置２００で受信可能な原稿サイズへと縮小した縮小率とがそれぞれ記載されるので、送信者は、原稿の画像が、どの程度縮小されて被呼側装置２００へ送信されたかを簡単に認識することができる。
【０１１７】
よって、送信者は、被呼側装置２００へ縮小されて送信された画像が不適切であれば、原稿の画像の大きさや、原稿の原稿サイズなどを適切なものに変更して、再度送信するなどの対策を講じることができる。
【０１１８】
また、送信確認レポート６０には、読取画像６２と、送信画像６３とがそれぞれ記載されるので、送信者は、送信画像６３を見ることで、被呼側装置２００へ送信された画像が、適切に縮小された画像であるかを簡単に認識することができる。また、送信者は、読取画像６２と、送信画像６３とを見比べることで、被呼側装置２００へ送信された画像が、適切に縮小された画像であるかをより簡単に認識することができる。
【０１１９】
また、一枚の記録用紙に一つの送信確認レポート６０が記録されるので、送信確認レポート６０が複数の記録用紙に分けられて記録される場合や、一枚の記録用紙に複数の送信確認レポート６０が記録される場合と比較して、送信者は、各送信確認レポート６０に対応する画像（読取画像６２および送信画像６３）を一目で確認することができるので分かり易い。また、一枚の記録用紙に必要な全ての情報が集約されて記録されるので、情報が複数の記録用紙に分けられて記録される場合と比較して、記録用紙の消費を抑制することができる。
【０１２０】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１２１】
例えば、上記の第１の実施形態は、原稿の画像を縮小して被呼側装置２００へ送信した場合にのみ、送信確認レポート３０を記録用紙に記録しているが、加えて、原稿の画像を拡大して被呼側装置２００へ送信した場合にも、送信確認レポート３０を記録用紙に記録しても良い。また、原稿の画像を縮小して被呼側装置２００へ送信した場合に代えて、原稿の画像を拡大して被呼側装置２００へ送信した場合に、信確認レポート３０を記録用紙に記録しても良い。例えば、スキャナ２０で読み取った原稿の画像サイズが、被呼側装置２００で受信可能な原稿サイズよりも小さい場合は、スキャナ２０で読み取った画像データの原稿サイズを、被呼側装置２００で受信可能な原稿サイズに合うように拡大して、その画像データを送信する。このようすれば、原稿の画像が拡大、または、縮小されて送信されたことを、送信者に簡単に認識させることができる。よって、画像の拡大によって画像が途切れてしまったり、縮小された画像に潰れなどが生じている可能性が高い場合のみを送信者に簡単に認識させることができる。
【０１２２】
また、上記の第２の実施形態は、被呼側装置２００で受信可能な最大の原稿サイズが、前回の画像の送信時よりも低下しており、且つ、原稿の画像を縮小してその被呼側装置２００へ送信した場合に、送信確認レポート６０を記録用紙に記録しているが、被呼側装置２００で受信可能な最大の原稿サイズが前回の画像の送信時と異なる場合（変化した場合）に、原稿の画像をその被呼側装置２００へ送信したら、送信確認レポート６０を記録用紙に記録しても良い。このようにすれば、被呼側装置２００おいて受信可能な最大の原稿サイズが変化したことを、送信者に簡単に認識させることができる。
【０１２３】
また、上記の送信確認レポート３０（図５参照）が記録用紙に記録される場合に、縮小結果情報３３が、タイトル３１および送信結果情報３２と異なる色で記録されるように構成しても良い。同様に、送信確認レポート６０（図８参照）が記録される場合に、縮小結果情報６１が、タイトル３１、送信結果情報３２、読取画像６２、および、送信画像６３と異なる色で記録されるように構成しても良い。このようにすれば、画像に潰れなどが生じている可能性が高いことを、送信者により確実に認識させることができる。
【０１２４】
また、上記実施形態では、送信確認レポート３０，６０を記録用紙に記録しているが、送信確認レポート３０，６０が記録用紙に記録される場合に、さらに、その内容をＬＣＤ１６に表示するように構成しても良い。また、送信確認レポート３０，６０が記録用紙に記録される場合に、その内容を電子メールによって送信者へ通知しても良い。送信者は、所望する方法で送信確認レポート３０，６０を確認することができるので、使い勝手が良い。
【０１２５】
また、第１の実施形態では、原稿の画像を縮小して被呼側装置２００へ送信した場合にのみ、送信確認レポート３０が記録用紙に記録され、第２の実施形態では、被呼側装置２００で受信可能な最大の原稿サイズが、前回の画像の送信時よりも低下しており、且つ、原稿の画像を縮小しての被呼側装置２００へ送信した場合にのみ、送信確認レポート６０が記録用紙に記録される。各実施形態において、何らかの原因で原稿の画像を送信できなかった場合（送信エラー時）にも、送信確認レポート３０，６０が、記録用紙に記録されるように構成しても良い。このようにすれば、被呼側装置２００への送信結果の確認が望まれる場合のみを、送信者に簡単に認識させることができる。
【０１２６】
また、上述した実施形態では、原稿サイズとして、「Ａ３」や「Ａ４」や「Ｂ４」のような用紙寸法の名称を用いているが、実際の用紙寸法であっても良いし、原稿サイズを識別できるものなら記号でも数値でも何でも良い。同様に、ＲＡＭ１３やフラッシュメモリ１４，７４に記憶される原稿サイズや、送信確認レポート３０，６０に記録される原稿サイズも実際の用紙寸法であっても良いし、原稿サイズを識別できるものなら記号でも数値でも何でも良い。
【図面の簡単な説明】
【０１２７】
【図１】本発明の第１の実施形態におけるファクシミリ装置を有したＭＦＰの外観構成を示した斜視図である。
【図２】ＭＦＰの電気的構成を示すブロック図である。
【図３】ＭＦＰ（発呼側装置）と被呼側装置との間で行われる通信制御の手順の概略を示す概略図である。
【図４】ＭＦＰのＦＡＸ送信処理を示すフローチャートである。
【図５】送信確認レポートの内容の一例を示すイメージ図である。
【図６】（ａ）は、本発明の第２の実施形態におけるファクシミリ装置を有したＭＦＰの電気的構成を示すブロック図であり、（ｂ），（ｃ）は、被呼側受信可能サイズメモリの内容の一例を示す概略図である。
【図７】ＭＦＰのＦＡＸ送信処理を示すフローチャートである。
【図８】送信確認レポートの内容の一例を示すイメージ図である。
【符号の説明】
【０１２８】
１，７１      ＭＦＰ（ファクシミリ装置の一例）
１３ｂ        原稿画像メモリ（第２の記憶手段の一例、第５の記憶手段の一例）
１３ｅ        縮小原稿画像メモリ（第１の記憶手段の一例、第４の記憶手段の一例）
２０          スキャナ（原稿サイズ検出手段の一例、画像情報生成手段の一例）
２１          プリンタ（記録手段の一例）
２３          モデム（送信手段の一例）
７４ｂ        被呼側受信可能サイズメモリ（第３の記憶手段の一例）
Ｓ２          サイズ取得手段の一例
Ｓ６          第１の画像寸法比較手段の一例
Ｓ８，Ｓ９    縮小画像情報生成手段の一例、送信画像情報生成手段の一例
Ｓ１０        縮小画像送信手段の一例、画像送信手段の一例
Ｓ１３        第１の送信結果出力手段の一例
Ｓ２１        第２の画像寸法比較手段の一例
Ｓ２２        第２の送信結果出力手段の一例
【図１】
2009153075.tif 000003
【図２】
2009153075.tif 000004
【図３】
2009153075.tif 000005
【図４】
2009153075.tif 000006
【図５】
2009153075.tif 000007
【図６】
2009153075.tif 000008
【図７】
2009153075.tif 000009
【図８】
2009153075.tif 000010